(57)【要約】【課題】光ディスク装置を組み込んだ録音装置において、振動や騒音を防止する。【解決手段】ＣＰＵ３は、外部からの音声信号をハードディスクドライブ９あるいは光ディスクドライブ８に供給して録音する。光ディスクドライブ８は、光ディスクのリードイン領域にアクセスして光ディスクの基本情報を取得する際に、装置の許容最低速度で回転駆動することで振動や騒音を防止する。記録再生時には最適の回転速度に設定する。【選択図】図１
2009238305.tif 000002
【特許請求の範囲】
【請求項１】
光ディスク装置であって、
光ディスクを回転駆動する駆動手段と、
前記駆動手段の回転速度を制御する制御手段であって、前記光ディスクのリードイン領域に記録された情報を読み取るための回転速度を許容最低速度に設定する制御手段と、
を有することを特徴とする光ディスク装置。
【請求項２】
請求項１記載の装置において、
前記制御手段は、前記光ディスクの排出時、前記回転速度を前記許容最低速度に再設定することを特徴とする光ディスク装置。
【請求項３】
請求項１、２のいずれかに記載の装置において、
前記制御手段は、前記光ディスクに対して記録再生する際の回転速度を、前記光ディスクの種類に応じた回転速度に設定することを特徴とする光ディスク装置。
【請求項４】
光ディスク装置であって、
光ディスクを回転駆動する駆動手段と、
前記駆動手段の回転速度を制御する制御手段であって、前記光ディスクのリードイン領域に記録された情報を読み取るための回転速度を許容最低速度もしくは許容最低速度よりも高速であって振動及び騒音が許容し得る程度の速度に設定する制御手段と、
を有することを特徴とする光ディスク装置。
【請求項５】
請求項１〜４のいずれかに記載の光ディスク装置と、
ハードディスクドライブと、
を備え、音声信号を前記光ディスク装置あるいは前記ハードディスクドライブの少なくともいずれかに記録する録音装置。
【発明の詳細な説明】
【技術分野】
【０００１】
本発明は光ディスク装置及び録音装置に関し、特に回転速度の制御に関する。
【背景技術】
【０００２】
従来より、記録再生すべき光ディスクの種類に応じて光ディスクの回転速度を可変制御する技術が提案されている。
【０００３】
例えば、下記の特許文献１には、ＤＶＤ−ＶＩＤＥＯの再生時には静音化や省電力化を重視して回転速度を落とし、ＤＶＤ−ＲＯＭに記録されたデータを読み出す（リッピング）時には高速化を重視して高速回転とすることが開示されている。
【０００４】
【特許文献１】特開２００６−３０９８１３号公報
【発明の開示】
【発明が解決しようとする課題】
【０００５】
しかしながら、光ディスクが挿入され、光ディスクのリードイン領域に記録された情報を読み取る際には、通常、光ディスク装置の許容最高速度で光ディスクを回転駆動して読み取ることとなり、筐体の振動や回転音が生じることになる。光ディスク装置がパーソナルコンピュータ等に組み込まれる場合はほとんど問題とならないが、マルチトラックレコーダ等の録音再生装置に組み込まれる場合、高速回転に伴う振動や回転音は好ましくない。
【０００６】
本発明の目的は、回転駆動に伴う振動や騒音を効果的に抑制できる装置を提供することにある。
【課題を解決するための手段】
【０００７】
本発明は、光ディスク装置であって、光ディスクを回転駆動する駆動手段と、前記駆動手段の回転速度を制御する制御手段であって、前記光ディスクのリードイン領域に記録された情報を読み取るための回転速度を許容最低速度に設定する制御手段とを有する。
【０００８】
本発明の１つの実施形態では、前記制御手段は、前記光ディスクの排出時、前記回転速度を前記許容最低速度に再設定する。
【０００９】
また、本発明は、光ディスク装置であって、光ディスクを回転駆動する駆動手段と、前記駆動手段の回転速度を制御する制御手段であって、前記光ディスクのリードイン領域に記録された情報を読み取るための回転速度を許容最低速度もしくは許容最低速度よりも高速であって振動及び騒音が許容し得る程度の速度に設定する制御手段とを有する。
【００１０】
また、本発明は、上記の光ディスク装置と、ハードディスクドライブとを備え、音声信号を前記光ディスク装置あるいは前記ハードディスクドライブの少なくともいずれかに記録する録音装置を提供する。
【発明の効果】
【００１１】
本発明によれば、回転駆動に伴う振動や騒音を効果的に抑制することができる。
【発明を実施するための最良の形態】
【００１２】
以下、図面に基づき本発明の実施形態について説明する。
【００１３】
図１に、本実施形態における録音再生装置の構成を示す。外部から音声信号を入力し、ハードディスクあるいは光ディスクに記録する装置である。
【００１４】
外部入力端子１は、外部からのアナログ音声信号を入力してＡＤＣ２に供給する。マイクからの入力あるいはラインからの入力のいずれでもよい。
【００１５】
ＡＤＣ２は、アナログ音声信号をデジタル信号に変換してＣＰＵ３に供給する。
【００１６】
ＣＰＵ３は、デジタル信号に所定の処理を施した後、ハードディスクドライブ（ＨＤＤ）９や光ディスクドライブ８に供給する。所定の処理は、エフェクト処理やミキシング処理、イコライジング処理等であり、ＭＰ３等の特定フォーマットへの圧縮／変換を含む。ＣＰＵ３は、プログラムメモリ６に格納されたプログラムに従い、バッファメモリ７をワーキングメモリとして用いて各種処理を実行する。
【００１７】
ハードディスクドライブ９及び光ディスクドライブ８は、ＣＰＵ３から供給されたデジタル信号をディスクに書き込む。ハードディスクドライブ９あるいは光ディスクドライブ８のいずれに書き込むかは、ユーザが図示しない操作ボタンを操作して選択する。操作信号はＣＰＵ３に供給され、ＣＰＵ３はこの操作信号に応じてデジタル信号をいずれのドライブに供給するかを決定する。デジタル信号をハードディスクドライブ９に供給するとともに、光ディスクドライブ８にも供給し、ハードディスクに書き込むと同時に光ディスクに書き込むこともできる。ハードディスクから読み出したデータを光ディスクドライブ８に供給して光ディスクに書き込む、あるいは光ディスクから読み出したデータをハードディスクドライブ９に供給してハードディスクに書き込むこともできる。ハードディスクドライブ９及び光ディスクドライブ８は、ＣＰＵ３からの指令に応じて、ハードディスクあるいは光ディスクからデータを読み出し、ＣＰＵ３に供給する。
【００１８】
ＣＰＵ３は、ハードディスクドライブ９あるいは光ディスクドライブ８から供給されたデータをＤＡＣ４に供給する。
【００１９】
ＤＡＣ４は、データをアナログ音声信号に変換して外部出力端子５から出力する。
【００２０】
このような構成において、ＣＰＵ３は、ユーザが操作した操作ボタンからの指令に応じてハードディスクドライブ９あるいは光ディスクドライブ８の動作を制御する。光ディスクドライブ８は例えばＣＤ−ＲＷドライブであり、ＣＤに対して記録再生を行うとともにＤＶＤに対しても記録再生を行うマルチドライブでもよい。光ディスクドライブ８に対する指令には、データの記録、データの再生、データのインポート、データのエクスポート、データのバックアップ、データの消去、ファイナライズ等がある。
【００２１】
本実施形態において、光ディスクドライブ８の回転速度制御に特徴があるため、以下、光ディスクドライブ８について説明する。
【００２２】
図２に、光ディスクドライブ８の構成を示す。ＣＤ−ＲＯＭやＣＤ−ＲＷ等の光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００２３】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、レーザパワーが所望の値となるように駆動電流が制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００２４】
光ディスクドライブが組み込まれる装置のホストであるＣＰＵ３から制御指令が発行され、この制御指令に応じて光ディスク１０に記録されたデータを読み出す際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してＣＰＵ３に出力する。なお、再生データをＣＰＵ３に出力する際には、エンコード／デコード回路３６はバッファメモリ３８に再生データを一旦蓄積した後に出力する。
【００２５】
ＣＰＵ３から制御指令が発行され、この制御指令に応じて光ディスク１０にデータを記録する際には、ＣＰＵ３からの記録すべきデータはインタフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記録されている記録データと照合する。照合の結果はシステムコントローラ３２に供給される。システムコントローラ３２は照合の結果に応じて引き続きデータを記録するか、あるいは交替処理を実行するかを決定する。
【００２６】
光ディスクドライブ８は、以上のようにＣＰＵ３からの制御指令に応じてデータの記録再生を行うが、データの記録再生を行うに先立って、挿入された光ディスク１０のリードイン領域にアクセスして光ディスク１０の種類やＴＯＣ等の基本情報を取得する。通常、リードイン領域にアクセスする際の回転速度は、光ディスクドライブ８の許容最高速度に設定され、例えば光ディスクドライブ８の許容最低速度が４倍速（４×）、許容最高速度が２４倍速（２４×）である場合、許容最高速度の２４倍速で回転駆動してリードイン領域の情報を取得する。そして、基本情報を取得した後は、光ディスク１０の種類に応じた最適の回転速度を設定し、記録や再生のコマンドが入力されるまで回転駆動を停止して待機状態となる。
【００２７】
しかしながら、このように許容最高速度でリードイン領域にアクセスすると、振動や騒音が発生することとなり、録音再生装置のユーザにとり好ましくない。例えば、防音環境下において特定のソース音源からの音声信号を入力する際に、録音再生装置から振動や動作音が聴こえてくるのは不快である。このような事態は、録音再生装置の電源をＯＮにして光ディスク１０を挿入した後だけでなく、光ディスク１０が既に挿入されている状態において録音再生装置の電源をＯＮにした場合にも生じる。特に、ディスク挿入口が常に外部に面していて、ユーザの意思によりいつでも光ディスク１０をセットすることが可能な、スロットローディング方式の光ディスクドライブにおいて顕著である。
【００２８】
なお、光ディスクドライブ８の電源がＯＮされ、光ディスク１０に対してデータの記録再生が行われた後、この光ディスク１０を排出（イジェクト）した場合、光ディスクドライブ８の回転速度はデフォルトの回転速度である許容最高速度に設定されるか、あるいはイジェクトした光ディスク１０を記録再生する際の回転速度をそのまま維持している。前者の場合、新たな光ディスク１０を挿入した場合にはリードイン領域にアクセスする際に再び許容最高速度でアクセスすることになるため振動や騒音の問題が生じる。後者の場合でも、例えばイジェクトした光ディスク１０がプログラムデータ等を記録するＣＤ−ｄａｔａの場合には１０倍速でデータ読み出しすることになるため同様に振動や騒音が生じ得る。
【００２９】
そこで、本実施形態では、光ディスク挿入後にリードイン領域にアクセスする際の回転速度を従来のように装置の許容最高速度ではなく、装置の許容最低速度に設定することで振動や騒音を抑制する。また、光ディスク１０がイジェクトされた後においても、装置の回転速度を許容最低速度に再設定することで振動や騒音を抑制する。なお、許容最低速度で回転駆動するのはあくまで光ディスク１０のリードイン領域に記録されたＴＯＣ等の基本情報を取得する際のみであり、光ディスク１０に対して記録再生する際の回転速度は光ディスク１０の種類に応じた最適の回転速度に設定する。
【００３０】
図３に、本実施形態の処理フローチャートを示す。まず、ユーザが装置の電源をＯＮすると光ディスクドライブ８の電源もＯＮされ、ＣＰＵ３からの制御指令に応じ、あるいはＣＰＵ３からの指令によらずシステムコントローラ３２が光ディスク１０の回転速度を許容最低速度に設定する（Ｓ１０１）。装置の許容最低速度が４倍速、許容最高速度が２４倍速の場合、４倍速に設定する。システムコントローラ３２の指令とＣＰＵ３からの指令が矛盾する場合、ＣＰＵ３からの指令が優先される。したがって、システムコントローラ３２はデフォルトの許容最高速度に設定しようとする場合においてＣＰＵ３から許容最低速度に設定する旨の指令を受けた場合、許容最低速度を優先的に設定する。
【００３１】
次に、電源ボタンが押し下げ操作されたか否かを判定する（Ｓ１０２）。電源がｏｎされた後に再度電源ボタンがｏｎされると、電源はＯＦＦとなり処理は終了する。電源ボタンが押下されない場合、電源ｏｎ状態はそのまま維持され、光ディスク１０が挿入されたか否かを判定する（Ｓ１０３）。光ディスク１０が挿入されない場合、スピンドルモータ１２は停止状態にある。光ディスク１０の挿入を検出すると、システムコントローラ３２は、サーボプロセッサ３０、ドライバ１４を介してＳ１０１で設定された許容最低速度（例えば４倍速）で光ディスク１０を回転駆動し、光ディスク１０のリードイン領域に記録されたＴＯＣを含む基本情報を読み出す（Ｓ１０４）。光ディスク１０のリードイン領域にアクセスする際の回転速度がこのように許容最低速度に設定されるため、振動や騒音の問題は生じない。リードイン領域にアクセスして光ディスク１０の種類等の基本情報を取得すると、光ディスク１０の回転駆動を停止して待機状態となる。許容最低速度のまま回転駆動を維持してもよい。そして、機能開始指示を検出したか否かを判定する（Ｓ１０５）。機能開始指示とは、装置の操作ボタンを用いてユーザが入力する指示であり、ハードディスクに対する記録再生や光ディスクに対する記録再生指示である。より具体的には、ＣＤを例にとるとＣＤの再生、ＣＤに対する記録、ＣＤへのインポート、ＣＤからのエクスポート、ＣＤのバックアップ、ＣＤのリストア等である。機能は任意であり、基本機能はデータの書き込み及びデータの読み出しである。
【００３２】
ユーザが機能開始指示を入力した場合、ＣＰＵ３はこの機能開始指示に応じた制御指令をシステムコントローラ３２に供給する。システムコントローラ３２は、ＣＰＵ３からの制御指令に応じ、光ディスク１０の種類に応じた最適の回転速度を設定して回転駆動する（Ｓ１０６）。例えば、光ディスク１０がデータＣＤあるいはＣＤ−ｄａｔａの場合、記録再生速度を１０倍速に設定する。一方、オーディオＣＤあるいはＣＤ−ＤＡの場合、記録再生速度を４倍速に設定する。Ｓ１０１にて許容最低速度に設定されているから、結果として、ＣＤ−ｄａｔａの場合には４倍速から１０倍速に高速化され、ＣＤ−ＤＡの場合にはそのまま４倍速が維持されることになる。光ディスク１０の種類に応じて最適回転速度に設定した後、ユーザから指示された機能を実行する（Ｓ１０７）。
【００３３】
機能実行後、イジェクトボタンが押し下げ操作されたか否かを判定する（Ｓ１０８）。ユーザがイジェクトボタンを操作した場合、システムコントローラ３２あるいはＣＰＵ３は、回転速度を再び許容最低速度に設定する（Ｓ１０９）。その後、光ディスク１０を排出して（Ｓ１１０）、Ｓ１０２以降の処理に戻る。既述したように、イジェクトボタンを操作した場合、従来においては光ディスクドライブ８の回転速度はデフォルトの回転速度である許容最高速度に設定されるか、あるいはイジェクトした光ディスク１０を記録再生する際の回転速度がそのまま維持される。したがって、イジェクトボタンが操作された場合においても、回転速度を再び許容最低速度に設定することで、次に新たな光ディスク１０が挿入された場合においても、許容最低速度でリードイン領域にアクセスすることとなり、振動や騒音が防止される。
【００３４】
図３においてイジェクトボタンが操作された場合、回転速度を許容最低速度に設定した後に光ディスク１０を排出するのではなく、光ディスク１０を排出した後に許容最低速度に設定してもよい。また、イジェクトボタンが操作された場合、現在、設定されている回転速度が許容最低速度が否かを判定し、現在設定されている回転速度が許容最低速度以外である場合に許容最低速度に設定してもよい。
【００３５】
本実施形態では、回転速度を許容最低速度に設定して光ディスク１０のリードイン領域にアクセスしているが、振動及び騒音が許容あるいは無視し得る限り、許容最低速度よりも高い回転速度で駆動することもできる。例えば、４倍速ではなく６倍速で回転駆動する等である。リードイン領域にアクセスする時の回転速度をユーザが適宜調整できる構成としてもよい。例えば、デフォルトでは許容最低速度とし、ここからユーザが回転速度を徐々に増大させていき所望の回転速度に調整する等である。振動や騒音の許容度はユーザ毎に異なり得ることを考慮したものである。もちろん、許容最低速度に設定するのが最も確実であろう。
【図面の簡単な説明】
【００３６】
【図１】実施形態の構成図である。
【図２】光ディスクドライブの構成図である。
【図３】実施形態の処理フローチャートである。
【符号の説明】
【００３７】
１  外部入力端子、２  ＡＤＣ、３  ＣＰＵ、４  ＤＡＣ、５  外部出力端子、６  プログラムメモリ、７  バッファメモリ、８  光ディスクドライブ、９  ハードディスクドライブ。
【図１】
2009238305.tif 000003
【図２】
2009238305.tif 000004
【図３】
2009238305.tif 000005